(57)【要約】【課題】電気融雪器本体を抑え金具に取り付けた状態でレールに装着でき、作業効率の向上を図ることができる電気融雪器を提供する。【解決手段】電気融雪器１１は、分岐器先端部の基本レール２１の腹部外面に配置される電気融雪器本体１２と、電気融雪器本体１２を腹部外面に押し付けた状態で保持する抑え金具１３とを備える。抑え金具１３は、基本レール２１の底部下面に沿って配置する底板１３ａと、底板１３ａのレール外端部分から立上り、基本レール２１の底部上方を通って腹部２１ａの外面に向かって屈曲する屈曲部１３ｂと、屈曲部１３ｂから腹部２１ａの外面側に立ち上がる背中板１３ｃと、背中板１３ｃから腹部側に突出して電気融雪器本体１２の上下を挟んで、電気融雪器本体１２を基本レール２１の腹部外面に押し付ける保持部１３ｄとを備える。電気融雪器本体１２は、保持部１３ｄの抑え板１３ｈに着脱可能に係合する係合部材１４を備える。【選択図】図１
0003163730.tif 000002
【実用新案登録請求の範囲】
【請求項１】
分岐器のレールの腹部外面に配置される電気融雪器本体と、該電気融雪器本体を前記腹部外面に押し付けた状態で保持する抑え金具とを備えた電気融雪器において、前記抑え金具は、前記レールの底部下面に沿って配置される底板と、前記底板のレール外端部分から立上り、前記レールの底部上方を通って腹部の外面に向かって屈曲する屈曲部と、該屈曲部から前記腹部の外面側に立ち上がる背中板と、該背中板から前記腹部側に突出して前記電気融雪器本体の上下を挟んで着脱可能に保持すると共に、該電気融雪器本体を基本レールの腹部外面に押し付ける保持部とを備え、前記電気融雪器本体は、前記保持部に着脱可能に係合する係合部材を備えていることを特徴とする電気融雪器。
【請求項２】
前記保持部は、前記背中板の長さ方向両端部から上方に延出する帯板を下方にＵ字状に折り返して形成される一対のバネ部材と、該バネ部材に取り付けられ、前記電気融雪器本体の上下を挟んで、該電気融雪器本体をレールの腹部外面に押し付ける抑え板とを備え、該抑え板は、前記バネ部材に連結される連結部と、該連結部から上下方向に突出する鉛直部と、該鉛直部の先端から電気融雪器本体側にそれぞれ突出し、該電気融雪器本体の上下を保持する挟持片とを備え、前記係合部材は、前記電気融雪器本体の反レール側面に水平方向に取り付けられる帯状の取付片と、該取付片の両端部から反レール側に突出し、前記抑え板に係合する一対の係合片と、各係合片の先端から、レール方向外側に傾斜しながら突出するガイド片とを備えていることを特徴とする請求項１記載の電気融雪器。
【考案の詳細な説明】
【技術分野】
【０００１】
本発明は、鉄道軌条の分岐器に付設される電気融雪器に関し、詳しくは、分岐器のレール腹部外面に配置される電気融雪器本体と、該電気融雪器本体をレール腹部外面に押し付けて保持する抑え金具とを備えた電気融雪器に関する。
【背景技術】
【０００２】
鉄道軌条の分岐器では、降雪時に分岐器先端部の基本レールとトングレールとの間で雪が固まったり、結氷したりすることを防止するため、基本レールの腹部外面をはじめとするレールの適宜な位置に電気融雪器を設けて融雪や解氷することが行われている。電気融雪器は、薄い直方体状の金属ケース内にヒーターを収容した電気融雪器本体と、該電気融雪器本体を前記腹部外面に押し付けた状態で保持する抑え金具とを備え、抑え金具としては、基本レールの底部下面に沿って配置される底板と、底板のレール外端部分から立上り、基本レールの底部上方を通って腹部の外面に向かって屈曲する屈曲部と、該屈曲部から前記腹部の外面側に立ち上がる背中板と、背中板から腹部側に突出して電気融雪器本体の上下を挟んで保持すると共に電気融雪器本体を基本レールの腹部に押し付ける保持部とを備えたものがあった（例えば、特許文献１参照。）。
【先行技術文献】
【特許文献】
【０００３】
【特許文献１】特開２００９−１９３６７号公報
【考案の概要】
【考案が解決しようとする課題】
【０００４】
しかし、上述のものでは、電気融雪器を基本レールに装着する際には、抑え金具の保持部間に電気融雪器本体を挿入した状態で、底板を基本レールの軌道外側から底部下面に沿って挿入し、電気融雪器本体を基本レールの腹部外面に押し付けるが、このとき、電気融雪器本体は、上下を前記保持部で保持しているのみであることから、底板を基本レールの軌道外側から底部下面に沿って挿入する際に保持部から脱落する虞があり、電気融雪器本体を手で押さえながら装着しなければならなかった。
【０００５】
そこで本考案は、電気融雪器本体を抑え金具に取り付けた状態で、基本レールに良好に装着することができ、作業効率の向上を図ることができる電気融雪器を提供することを目的としている。
【課題を解決するための手段】
【０００６】
上記の目的を達成するため本考案の電気融雪器は、分岐器のレールの腹部外面に配置される電気融雪器本体と、該電気融雪器本体を前記腹部外面に押し付けた状態で保持する抑え金具とを備えた電気融雪器において、前記抑え金具は、前記レールの底部下面に沿って配置される底板と、前記底板のレール外端部分から立上り、前記基本レールの底部上方を通って腹部の外面に向かって屈曲する屈曲部と、該屈曲部から前記腹部の外面側に立ち上がる背中板と、該背中板から前記腹部側に突出して前記電気融雪器本体の上下を挟んで着脱可能に保持すると共に、該電気融雪器本体をレールの腹部外面に押し付ける保持部とを備え、前記電気融雪器本体は、前記保持部に着脱可能に係合する係合部材を備えていることを特徴としている。
【０００７】
また、前記保持部は、前記背中板の長さ方向両端部から上方に延出する帯板を下方にＵ字状に折り返して形成される一対のバネ部材と、該バネ部材に取り付けられ、前記電気融雪器本体の上下を挟んで、該電気融雪器本体をレールの腹部外面に押し付ける抑え板とを備え、該抑え板は、前記バネ部材に連結される連結部と、該連結部から上下方向に突出する鉛直部と、該鉛直部の先端から電気融雪器本体側にそれぞれ突出し、該電気融雪器本体の上下を保持する挟持片とを備え、前記係合部材は、前記電気融雪器本体の反レール側面に水平方向に取り付けられる帯状の取付片と、該取付片の両端部から反レール側に突出し、前記抑え板に係合する一対の係合片と、各係合片の先端から、レール方向外側に傾斜しながら突出するガイド片とを備えていることを特徴としている。
【考案の効果】
【０００８】
本考案の電気融雪器によれば、電気融雪器本体を抑え金具に設けた抑え板によって保持させると共に、電気融雪器本体に設けた係合部材によって、前記抑え板と電気融雪器本体とを係合させ、電気融雪器本体を抑え金具に確実に取り付けたた状態とすることができることから、電気融雪器をレールに装着する際に、抑え金具の底板を基本レールの軌道外側から底部下面に沿って挿入するだけで、電気融雪器本体をレールの腹部外面に押し付けることができ、作業効率の向上を図ることができる。
【０００９】
また、保持部は、前記背中板の長さ方向両端部に一対のバネ部材を設けたことから、抑え金具の底板をレールの軌道外側から底部下面に沿って挿入することにより弾性変形するバネ部材の弾性復元力により、押さえ板を介して電気融雪器を基本レールの腹部に強く押し付けることができる。また、電気融雪器本体に設けた係合部材は、水平方向に取り付けられる帯状の取付片と、該取付片の両端部に設けられ、抑え板に係合する一対の係合片とを備えていることから、電気融雪器本体は、保持部に設けた一対の挟持片と電気融雪器本体の上下が当接することにより、抑え金具に対して鉛直方向に固定されると共に、抑え板と係合片との係合により、水平方向にも固定されることから、電気融雪器本体を抑え金具に確実に取り付けることができる。また、係合部材は、係合片の先端部にガイド片を設けていることから、該ガイド片にガイドさせて係合部材を抑え金具の保持部に容易に係合させることができる。
【図面の簡単な説明】
【００１０】
【図１】本発明の一形態例を示す電気融雪器本体を基本レールに取り付けた状態の説明図である。
【図２】同じく電気融雪器本体を基本レールに取り付けた状態の断面図である。
【図３】図２のIII-III断面図である。
【考案を実施するための形態】
【００１１】
以下、本考案の一形態例を図１乃至図３に基づいて説明する。本形態例の電気融雪器１１は、鉄道軌条の分岐器に付設される基本レール２１に取り付けられるもので、電気融雪器本体１２が抑え金具１３により、基本レール２１の腹部２１ａの外面に押し付けられた状態で保持されている。
【００１２】
抑え金具１３は、基本レール２１の底部下面２１ｂに沿って配置される底板１３ａと、該底板１３ａの軌条外端部分から立ち上がり、基本レール２１の底部上方を通って腹部２１ａの外面に向かって屈曲した屈曲部１３ｂと、該屈曲部１３ｂの先端から腹部２１ａの外面側に立ち上がる背中板１３ｃと、背中板１３ｃから腹部２１ａ側に突出して電気融雪器本体１２の上下を挟んで着脱可能に保持する保持部１３ｄとを備えている。また、底板１３ａと屈曲部１３ｂと背中板１３ｃとは、所定形状に形成した金属板を曲げ加工することによって一体成形されている。
【００１３】
背中板１３ｃは、底板１３ａ及び屈曲部１３ｂに対して、基本レール２１の腹部２１ａに沿って延出した状態に設けられる長方形状のものであり、背中板１３ｃの中央部下部に、外方及び下方に向かって屈曲部１３ｂ及び底板１３ａが一体に連続している。
【００１４】
底板１３ａは、基本レール２１の底部下面幅方向中央部１３ｅが下方に突出した逆山形に屈曲した形状に形成され、長さ方向の強度向上が図られている。この底板１３ａの先端には、上方に向かってトングレールに干渉しない高さに屈曲し、基本レール２１の底部内縁２１ｃに係合する突出片１３ｆが設けられている。
【００１５】
保持部１３ｄは、背中板１３ｃの長さ方向両端部にリベットで取り付けられる一対のバネ部材１３ｇ，１３ｇと、該バネ部材１３ｇ，１３ｇの先端部にリベットでそれぞれ取り付けられる抑え板１３ｈ，１３ｈとを備えている。各バネ部材１３ｇは、帯板を折曲して形成され、背中板１３ｃから上方に延出する帯板の上端部を下方にＵ字状に折り返して形成されている。各抑え板１３ｈは、バネ部材１３ｇと同一の幅寸法を有する帯板で形成され、バネ部材１３ｇの先端部に連結される連結部１３ｉと、該連結部１３ｉから腹部２１ａ側に湾曲して上下方向に突出する湾曲部１３ｋと、該湾曲部１３ｋの上端部と下端部とから、鉛直方向にそれぞれ延出する鉛直部１３ｍ，１３ｍと、該鉛直部１３ｍ，１３ｍの先端から腹部２１ａ側に突出し、該電気融雪器本体１２の上下を挟んで保持する挟持片１３ｎ，１３ｎとを備えている。
【００１６】
電気融雪器本体１２は、熱伝導率の良いダイキャストで覆った金属ヒーターで、反レール側面に前記抑え板１３ｈ，１３ｈに着脱可能に係合する係合部材１４が取り付けられている。係合部材１４は、電気融雪器本体１２の湾曲部１３ｋに対応する位置に、水平方向に取り付けられる帯状の取付片１４ａと、該取付片１４ａの両端部から抑え板１３ｈ，１３ｈの外側面側にそれぞれ突出すると共に、取付片１４ａの中心方向に湾曲して折り返されて抑え板１３ｈ，１３ｈに係合する一対の係合片１４ｂ，１４ｂと、係合片１４ｂ，１４ｂの先端から、レール方向外側に傾斜しながら突出するガイド片１４ｃ，１４ｃとを備えている。
【００１７】
このように形成した電気融雪器１１を基本レール２１に装着する際には、まず、抑え板１３ｈの挟持片１３ｎ，１３ｎ間に電気融雪器１１を挿入し、係合部材１４の係合片１４ｂ，１４ｂを、ガイド片１４ｃ，１４ｃにガイドさせて、弾性変形させながら、抑え板１３ｈ，１３ｈの外側面にそれぞれ係合させ、電気融雪器本体１２を抑え金具１３に取り付ける。この状態で、底板１３ａを基本レール２１の軌道外側から底部下面２１ｂに沿って挿入し、バネ部材１３ｇを弾性変形させながら、先端の突出片１３ｆを基本レール２１の底部内縁２１ｃに係合させる。底板１３ａを所定の状態で基本レール２１の底部に取り付けることにより、バネ部材１３ｇが弾性変形し、その弾性復元力により抑え板１３ｈを介して電気融雪器本体１２が基本レール２１の腹部２１ａの軌道外面に強く押し付けられ、電気融雪器本体１２の長さ方向全体を腹部２１ａに確実に密着させることができる。
【００１８】
上述の形態例によれば、電気融雪器本体１２は、抑え板１３ｈに設けた一対の挟持片１３ｎ，１３ｎと電気融雪器本体１２の上下とが当接することにより、抑え金具１３に対して鉛直方向に固定されると共に、抑え板１３ｈ，１３ｈと係合片１４ｂ，１４ｂとの係合により、水平方向にも固定されることから、電気融雪器本体１２を抑え金具１３に確実に取り付けることができる。これにより、電気融雪器１１を基本レール２１に装着する際には、抑え金具１３の底板１３ａを基本レール２１の軌道外側から底部下面に沿って挿入するだけで、電気融雪器本体１２を基本レール２１の腹部２１ａに簡単に押し付けることができる。
【００１９】
さらに、係合部材１４は、係合片１４ｂ，１４ｂの先端部にガイド片１４ｃ，１４ｃを設けていることから、該ガイド片１４ｃにガイドさせながら、係合部材１４を保持部１３ｄに容易に係合させることができる。
【００２０】
また、抑え金具１３の保持部１３ｄには、背中板１３ｃの長さ方向両端部に一対のバネ部材１３ｇ，１３ｇを設けたことにより、底板１３ａを基本レール２１の軌道外側から底部下面２１ｂに沿って挿入することにより弾性変形したバネ部材１３ｇ，１３ｇの弾性復元力で、抑え板１３ｈを介して電気融雪器本体１２を基本レール２１の腹部２１ａに強く押し付けることができる。
【００２１】
なお、本考案の電気融雪器は、分岐器の基本レールに設けるものに限らず、トングレールを始め、レールの適宜な位置に設置することができる。また、押さえ金具の形状は、基本レールの形状、枕木の間隔、連結棒やスイッチアジャスタの状態、その他の条件に応じて適宜設定することができ、電気融雪器本体の形状や大きさも、レールや設置位置に応じて適宜設定することができる。
【符号の説明】
【００２２】
１１…電気融雪器、１２…電気融雪器本体、１３…抑え金具、１３ａ…底板、１３ｂ…屈曲部、１３ｃ…背中板、１３ｄ…保持部、１３ｅ…底部下面幅方向中央部、１３ｆ…突出片、１３ｇ…バネ部材、１３ｈ…抑え板、１３ｉ…連結部、１３ｋ…湾曲部、１３ｍ…鉛直部、１３ｎ…挟持片、１４…係合部材、１４ａ…取付片、１４ｂ…係合片、１４ｃ…ガイド片、２１…基本レール、２１ａ…腹部、２１ｂ…底部下面、２１ｃ…底部内縁
【図１】
0003163730.tif 000003
【図２】
0003163730.tif 000004
【図３】
0003163730.tif 000005